(57)【要約】【課題】重ね合わされた複数の物品の同一位置にそれぞれ設けられている無線タグの位置ずれを意識することなく高い認識率で各物品を認識できるようにする。【解決手段】予め複数の無線タグ３１，３２が、各無線タグ３１，３２がそれぞれ有するタグアンテナの指向性の軸が交差するように設けられた物品３０に対し、当該物品３０に設けられている複数の無線タグのうち１つの無線タグ３１が有するタグアンテナの指向性と向き合う指向性を有する第１のタグ交信用アンテナ１３と、他の１つの無線タグ３２が有するタグアンテナの指向性と向き合う指向性を有する第２のタグ交信用アンテナ１４とにより交信を行い、少なくとも一方のタグ交信用アンテナで読取った無線タグの情報により物品を認識する。【選択図】      図２
2007065991.tif 000002
【特許請求の範囲】
【請求項１】
無線タグが設けられた物品を認識する方法であって、
予め複数の無線タグが、各無線タグのタグアンテナの指向性の軸が交差するように設けられた物品に対し、
前記物品に設けられている複数の無線タグのうちいずれか１つの無線タグが有するタグアンテナの指向性と向き合う指向性を有する第１のタグ交信用アンテナと、他のいずれか１つの無線タグが有するタグアンテナの指向性と向き合う指向性を有する第２のタグ交信用アンテナとにより交信を行い、少なくとも一方のタグ交信用アンテナで読取った無線タグの情報により前記物品を認識することを特徴とする物品認識方法。
【請求項２】
複数の無線タグを、前記各無線タグがそれぞれ有するタグアンテナの指向性の軸が交差するように設けたことを特徴とする無線タグ付物品。
【請求項３】
物品の一辺に沿って第１の無線タグを設けるとともに、当該物品の前記一辺に対して垂直な他辺に沿って第２の無線タグを前記第１の無線タグとは略９０度回転させて設けたことを特徴とする無線タグ付物品。
【請求項４】
無線タグで管理される物品を収容する物品収容体において、
複数の無線タグを、前記各無線タグがそれぞれ有するタグアンテナの指向性の軸が交差するように設けたことを特徴とする物品収容体。
【請求項５】
無線タグで管理される物品を収容する物品収容体において、
当該物品収容体の一辺に沿って第１の無線タグを設けるとともに、当該物品収容体の前記一辺に対して垂直な他辺に沿って第２の無線タグを前記第１の無線タグとは略９０度回転させて設けたことを特徴とする物品収容体。
【請求項６】
無線タグで管理される物品を収容する物品収容体において、
無線タグを収納するための複数のタグ収納ポケットを、前記各タグ収納ポケットにそれぞれ収納された複数の無線タグがそれぞれ有するタグアンテナの指向性の軸が交差するように設けたことを特徴とする物品収容体。
【請求項７】
無線タグで管理される物品を収容する物品収容体において、
当該物品収容体の一辺に沿って無線タグを収容するための第１のタグ収容ポケットを設けるとともに、当該物品収容体の前記一辺に対して垂直な他辺に沿って前記第１のタグ収容ポケットに収容された第１の無線タグに対して略９０度回転した状態で第２の無線タグが収容される第２のタグ収容ポケットを設けたことを特徴とする物品収容体。
【請求項８】
請求項２または請求項３に記載の無線タグ付物品を認識する物品認識装置において、
認識対象の前記無線タグ付物品に設けられている複数の無線タグにそれぞれ対応して複数のタグ交信用アンテナを、当該タグ交信用アンテナの指向性が当該タグ交信用アンテナに対応する無線タグが有するタグアンテナの指向性と向き合うように配置したことを特徴とする物品認識装置。
【請求項９】
前記複数のタグ交信用アンテナのうち少なくとも１つは、そのアンテナが有する指向性の軸に対して直交する方向に移動可能な可動式であることを特徴とする請求項８記載の物品認識装置。
【発明の詳細な説明】
【技術分野】
【０００１】
本発明は、無線タグが付された伝票用紙，書類，封筒等の紙葉類若しくはプラスチックカード，ＣＤ（Compact Disc），ＤＶＤ（Digital Versatile Disc）等の物品の認識方法、及びこの方法を用いた無線タグ付物品，物品収容体並びに物品認識装置に関する。
【背景技術】
【０００２】
近年、固有のＩＤを設定記憶したＩＣチップとアンテナを有し、リーダ・ライタとの間で無線を利用して非接触で通信を行うことにより、ＩＤの読出しや任意の情報の書込み及び読出しができる無線データキャリア、いわゆる無線タグが注目されている。この無線タグは、小型かつ薄型化が可能である上、軽量化ができる。また、無線タグとリーダ・ライタとの交信制御にアンチコリジョン（衝突防止）という方法を用いることによって、１つのリーダ・ライタの交信可能範囲内に複数の無線タグが存在してもデータの読出しや書込みが可能となる。そこで、例えば伝票用紙や書類等の紙葉類１枚１枚にそれぞれ無線タグを貼付するとともに、各紙葉類とその紙葉類に貼付された無線タグのＩＤとを関連付けて記憶したデータベースを作成する。こうすることにより、例えば束ねられた紙葉類にそれぞれ付されている無線タグのＩＤをリーダ・ライタで一括して読取ることによって、一束の中にどのような紙葉類があるのかを短時間のうちに認識することができる。
【０００３】
しかし従来の無線タグは、他の無線タグと重なり合うと相互間で干渉を起こすために認識率が低下するという特性があった。このため、紙葉類等のシート状の物品に無線タグを貼り付けた場合には、隣接する物品の無線タグどうしが重なり合って認識できなくなる場合があった。
【０００４】
このような問題を解決するために従来は、管理対象である複数のシート状物品に無線タグを分散させて貼付し、少なくとも隣接する２枚のシート状物品にそれぞれ貼付された２つの無線タグが完全に重なり合った状態にならないように各シート状物品を束ねて、リーダ・ライタで認識するようにしていた。また、複数のシート状物品の同一部分に無線タグを貼付した場合にも対応できる方法として、シート状物品の束を収容する収容箱の背板内面に底板から天板に向けて徐々に手前に傾斜する部材を装着し、隣り合うシート状物品が徐々に手前にずれるようにする方法も知られていた。（例えば、特許文献１参照）。
【特許文献１】特開２００２−２３０４９１号公報
【発明の開示】
【発明が解決しようとする課題】
【０００５】
ところが、最近の無線タグは、その技術進歩、すなわち、リーダ・ライタが備えるアンテナの利得向上や無線タグが有するアンテナの利得向上、さらには無線タグの動作に必要な起動電力の低下等に起因して、無線タグどうしが完全に重なり合った状態でも認識可能となってきている。このため、従来のように無線タグを分散させてシート状物品に貼付したり、収容箱にスティを装着する等してシート状物品を徐々にずらしたりする必要は無くなってきているのが実情である。
【０００６】
しかしその一方で、無線タグどうしが完全に重なり合った状態よりも、図１４に示すように、積み重ねられている無線タグ１，２，３，４，５，…のうち、1つの無線タグ３が矢印Ａ方向に特定の距離δだけずれると、このずれた無線タグ３と、これに隣接する無線タグ２，４の読取率が非常に悪くなることが実験などから分かってきた。例えば、市販されている２．４ＧＨｚ帯の長方形の無線タグでは、その長辺方向へのずれ量δが約１０ｍｍのときに読取率が大幅に低下する。
【０００７】
この読取率が低下するずれの値は、無線タグの共振周波数やアンテナ形状などによって異なる。その原因については明らかになっていないが、おそらく隣り合う無線タグ２，４とずれた無線タグ３とが干渉して、無線タグ２，３，４のアンテナインピーダンスが大きく変化し、必要とする受信電力が得られなくなるためと考えられる。
【０００８】
そこで今後、実際に紙葉類等のシート状物品に無線タグを貼付して運用する場合、上記のような隣接する無線タグの位置関係により無線タグの情報を読取れず物品を認識できなくなる状況を避けるため、すべての物品の同じ位置に無線タグを貼付し、さらにすべての物品を揃えた状態で認識する必要がある。
【０００９】
しかしながら、棚やファイルボックス等に紙葉類等のシート状物品を多数収納した場合、若干の位置ずれが発生するのが普通であり、各シート状物品にそれぞれ付された無線タグの位置ずれをなくすためには、わざわざ人が物品を揃える作業が要求される。
【００１０】
本発明はこのような事情に基づいてなされたもので、その目的とするところは、重ね合わされた複数の物品の同一位置にそれぞれ設けられている無線タグの位置ずれを意識することなく高い認識率で各物品を認識できる物品認識方法及びこの方法を用いた無線タグ付物品，物品収容体並びに物品認識装置を提供しようとするものである。
【課題を解決するための手段】
【００１１】
本発明は、予め複数の無線タグが、各無線タグがそれぞれ有するタグアンテナの指向性の軸が交差するように設けられた物品に対し、当該物品に設けられている複数の無線タグのうちいずれか１つの無線タグが有するタグアンテナの指向性と向き合う指向性を有する第１のタグ交信用アンテナと、他のいずれか１つの無線タグが有するタグアンテナの指向性と向き合う指向性を有する第２のタグ交信用アンテナとにより交信を行い、少なくとも一方のタグ交信用アンテナで読取った無線タグの情報により物品を認識するようにしたものである。
【発明の効果】
【００１２】
かかる手段を講じた本発明によれば、重ね合わされた複数の物品の同一位置にそれぞれ設けられている無線タグの位置ずれを意識することなく高い認識率で各物品を認識できるようになる。
【発明を実施するための最良の形態】
【００１３】
以下、本発明を実施するための最良の形態について、図面を用いて説明する。  
なお、この実施の形態は、同一サイズの複数のシート状物品を、無線タグを使用して一括して認識する物品認識技術に本発明を適用した場合である。因みに、シート状物品の概念には、伝票用紙，書類，封筒等の紙葉類のみならず、プラスチックカード，ＣＤ，ＤＶＤ等も含まれる。
【００１４】
図１は本実施の形態における物品認識装置１０の概略構成を示すブロック図である。この物品認識装置１０は、無線タグのリーダ・ライタ１１と、このリーダ・ライタ１１を制御するコントローラ１２と、第１のタグ交信用アンテナ１３及び第２のタグ交信用アンテナ１４と、リーダ・ライタ１１に接続するタグ交信用アンテナを第１のタグ交信用アンテナ１３とするか第２のタグ交信用アンテナ１４とするかを切替える切替ボックス１５とで構成されている。リーダ・ライタ１１とコントローラ１２との間は、有線または無線の通信手段により接続されている。切替ボックス１５は、例えばタイマ機能を内蔵しており、一定または不定の周期でリーダ・ライタ１１との接続を第１のタグ交信用アンテナ１３と第２のタグ交信用アンテナ１４との間で切替えるようにしている。
【００１５】
図２は上記第１のタグ交信用アンテナ１３と第２のタグ交信用アンテナ１４が設けられるスキャナ台２０を示す模式図である。スキャナ台２０は、水平面２１ａを有する受け板２１と、この受け板２１の奥側一辺に沿って垂直に立設され、上記水平面２１ａに対して直交する垂直面２２ａを有する背板２２とによって構成されている。第１のタグ交信用アンテナ１３は、受け板２１が有する水平面２１ａから上側に指向性を有するように受け板２１に埋設されている。第２のタグ交信用アンテナ１４は、背板２２が有する垂直面２２ａから手前側に指向性を有するように背板２２に埋設されている。
【００１６】
このように構成されたスキャナ台２０には、図２に示すように、無線タグを用いて管理される対象のシート状物品３０が、例えばファイルボックス４０に複数枚重ね合わされて収容された状態で置かれる。
【００１７】
シート状物品３０には、図３に示すように、その一辺に沿って長方形の第１の無線タグ３１が貼付されている。また、上記一辺に対して垂直な方向の他辺には、第１の無線タグ３１に対して略９０度回転した状態で長方形の第２の無線タグ３２が貼付されている。すなわち、第１の無線タグ３１が有するタグアンテナ３１ａの指向性の軸つまりは最大利得方向を含む軸３３と、第２の無線タグ３２が有するタグアンテナ３２ａの指向性の軸つまりは最大利得方向を含む軸３４とが交差（この例では直交）するように、１つのシート状物品３０に同一形状の２つの無線タグ３１，３２が設けられている。
【００１８】
因みに、各シート状物品３０にそれぞれ設けられる複数の無線タグ３１，３２のＩＣチップメモリには、それぞれ固有の識別子であるＩＤが固定的に保存されている。また、それぞれ貼付されたシート状物品３０を識別するための物品識別情報が予め書き込まれている。すなわち、１つのシート状物品３０に設けられた２つの無線タグ３１，３２のメモリには、異なるＩＤと共通の物品識別情報とが記憶されている。
【００１９】
さて本実施の形態では、前述したように、それぞれ２つの無線タグ３１，３２が設けられた複数のシート状物品３０がファイルボックス４０に複数枚収容された状態でスキャナ台２０の受け台２１に置かれる。この際、各シート状物品３０は、それぞれ隣接するシート状物品３０との間でお互いの一辺に設けられた第１の無線タグ３１が物品を挟んで重なるように、また、お互いの他辺に設けられた第２の無線タグ３２が物品を挟んで重なるようにファイルボックス４０内に収容される。そして、図２に示すように、各シート状物品３０の第１の無線タグ３１が受け板２１側に位置し、第２の無線タグ３２が背板２２側に位置するように、ファイルボックス４０がスキャナ台２０に置かれたならば、物品認識装置１０による物品認識動作が実行されることとなる。
【００２０】
すなわち、コントローラ１２から物品認識動作開始のコマンドがリーダ・ライタ１１に送信される。リーダ・ライタ１１では、この開始コマンドを受けてタグ問合せ信号を変調し、切替ボックス１５に出力する。これにより、切替ボックス１５ではアンテナの接続が切替わるので、第１のタグ交信用アンテナ１３と第２のタグ交信用アンテナ１４とから交互に問合せ信号の変調電波が発信される。
【００２１】
一方、この変調電波（問合せ電波）をタグアンテナで感度よく受信した無線タグ３１，３２は活性化される。活性化された無線タグ３１，３２からは、そのメモリで記憶保持している物品識別情報が応答電波として発信される。この応答電波は、問合せ電波発信元のタグ交信用アンテナ１３，１４で受信され、切替ボックス１５を介してリーダ・ライタ１１に送られて、物品識別情報に復調される。復調された物品識別情報は、コントローラ１２に送信される。かくして、スキャナ台２０に置かれたファイルボックス４０内の各シート状物品３０が、コントローラ１２において認識される。
【００２２】
図４はスキャナ台２０の受け板２１に埋設された第１のタグ交信用アンテナ１３の指向性５１と、上記受け板２１に置かれたシート状物品３０に設けられている第１の無線タグ３１が有するタグアンテナ３１ａの指向性５２，５３との関係を示す模式図である。前述したように、タグ交信用アンテナ１３は、受け板２１が有する水平面２１ａから上側に指向性５１を有している。一方、タグアンテナ３１ａは、アンテナ３１ａを挟み、物品に対する貼付け面と平行な方向に指向性５２，５３を有している。したがって、図２に示したようにスキャナ台２０にファイルボックス４０が置かれた状態で物品認識動作が実行されると、第１のタグ交信用アンテナ１３の指向性５１は、ファイルボックス４０内の各シート状物品３０にそれぞれ付された第１の無線タグ３１のタグアンテナ３１ａが有する下向きの指向性５３と向き合うので、第１のタグ交信用アンテナ１３と第１の無線タグ３１とは安定な交信が可能となる。
【００２３】
同様に、スキャナ台２０の背板２２に埋設された第２のタグ交信用アンテナ１４の指向性は、ファイルボックス４０内の各シート状物品３０にそれぞれ付された第２の無線タグ３２のタグアンテナ３２ａが有する手前とは反対向きの指向性と向き合うので、第２のタグ交信用アンテナ１４と第２の無線タグ３２とは安定な交信が可能となる。
【００２４】
ところで、ファイルボックス４０にシート状物品３０を複数枚収容した場合、ユーザが意識しなければ、図５に示すように、シート状物品３０が上方向や前後方向にずれるのが普通であり、従来はこのずれによって認識率が低下するという懸念があった。これに対して本実施の形態では、シート状物品３０が上方向や前後方向にずれていたとしても良好な認識率を確保することができる。以下、その理由について説明する。
【００２５】
なお、説明を簡単にするために、図６に示すように、整列されているシート状物品３０のうち１枚の物品６０だけが手前側にずれた場合を例に挙げる。このときの各シート状物品３０，６０に設けられている第１の無線タグ３１，６１の位置関係を図７に示す。また、第２の無線タグ３２，６２の位置関係を図８に示す。なお、第１の無線タグ６１は手前側にずれたシート状物品６０に設けられている第１の無線タグを示しており、第２の無線タグ６２は同シート状物品６０に設けられている第２の無線タグを示している。
【００２６】
図７に示すように、長方形の１つの無線タグ６１がその長辺の方向にずれると、この無線タグ６１と、この無線タグ６１に隣接する無線タグ３１-1，３１-2は読取り難くなることが実験から明らかになっている。この場合、読取れるか読取れないかは、ずれの量δによって決まるが、例えば市販されている２．４ＧＨｚ帯の無線タグの場合は、ずれ量δが約１０ｍｍになると読取れないことが多い。なお、この読み取り難くなるずれの量δは、タグの種類，形状によって異なるものであり、１０ｍｍというずれの値はあくまでも一例である。
【００２７】
一方、シート状物品６０に設けられた第１の無線タグ６１が手前側にずれ量δだけずれた場合、必然的に同シート状物品６０に設けられた第２の無線タグ６２も、図８に示すように手前側にずれ量δだけずれる。ただし、長方形の１つの無線タグ６２がその短辺の方向にずれた場合には、この無線タグ６２やそれに隣接する無線タグ３２-1，３２-2はいずれも問題なく読取れることが実験から明らかになっている。これは、長辺方向へのずれでは隣接する無線タグとの干渉が多かったのに対し、短辺方向へのずれでは隣接する無線タグとの干渉が少ないためであると推測される。
【００２８】
したがって、図６に示すように、シート状物品６０が手前側にずれた状態の場合、底辺側に貼付された無線タグ３１を読み取ることはできなくても、底辺と垂直な高さ方向の辺に沿って貼付された無線タグ３２を第２のタグ交信用アンテナ１４を介して読み取ることはできる。本実施の形態では、無線タグ３１，３２を取り付けたシート状物品の管理において、無線タグ３１または無線タグ３２のうちどちらか一方のみを読み取ることができれば、シート状物品３０の所在を確認できるようにコントローラ１２が構成されているので、結果として、シート状物品３０が手前側にずれても高い認識率で各物品を認識することが可能となる。
【００２９】
また、ファイルボックス４０内でシート状物品３０が上方向へずれた場合にも同様のことが言える。すなわち、シート状物品３０が上方向にずれると、底辺と垂直な高さ方向の辺に沿って貼付された第２の無線タグ３２は長辺方向のずれとなるが、逆に底辺に沿って貼付された第１の無線タグ３１は短辺方向のずれとなり、第１の無線タグ３１と第２の無線タグ３２におけるずれの方向が異なる。そのため、第２の無線タグ３２は読取れなくても、第１の無線タグ３１は第１のタグ交信用アンテナ１３を介して読取れる可能性が高いので、結果として、シート状物品３０が上側にずれても高い認識率で各物品を認識することが可能となる。
【００３０】
実際にファイルボックス４０に無線タグを貼付したシート状物品３０としての長方形の用紙を入れ、適当に各用紙をずらしたときの無線タグの読取り率について、各用紙の位置ずれの最大量を下記の4パターンに制限して実験を行った。
【００３１】
(１)  前側１５ｍｍ、上側１５ｍｍ
(２)  前側１０ｍｍ、上側１５ｍｍ
(３)  前側１５ｍｍ、上側５ｍｍ
(４)  前側１０ｍｍ、上側５ｍｍ
なお、ここでの位置ずれ量とは、用紙をファイルボックス４０の奥側に、浮かないように入れた状態から、手前方向または上方向にどれだけずれたかを示すずれの量である。
【００３２】
用紙の一辺（底辺）のみに無線タグ３１を貼付した従来の場合と、用紙の一辺（底辺）と他辺（底辺と垂直な高さ方向の辺）に対してタグアンテナの指向性の軸が交差するように無線タグ３１，３２を貼付した本実施の形態に示す場合とにおいて、それぞれ約２ｍｍ間隔で並べられた用紙延べ３６００枚を読取り、読取りに成功した割合つまり読取率を図９のグラフで示す。同図において、左側の網掛けの棒グラフは従来の場合の読取率であり、右側の斜線の棒グラフは本実施の形態の場合の読取率である。本実施の形態の場合は、無線タグ３１と無線タグ３２のどちらか一方を読むことができれば、読取りができたとしている。
【００３３】
例えば前側に最大１５ｍｍ、上側に最大１５ｍｍの位置ずれがあるパターン（１）の場合、用紙に無線タグ３１しか付されていない従来の場合には読取率が９８．８６％であるのに対し、用紙に無線タグ３１と無線タグ３２が付されている本実施の形態の場合は読取率が９９．９２％と向上している。他のパターン（２）〜（４）の場合についても、いずれも本実施の形態の場合の読取率が従来の場合の読取率よりも向上している。すなわち、２つの無線タグ３１，３２を各々のタグアンテナ３２ａ，３２ｂの指向性の軸３３，３４が交差するように用紙に取り付けた本実施の形態の場合は、用紙がずれているような状態において、従来よりも読取率を向上させることができることは明らかである。
【００３４】
なお、この発明は前記実施形態そのままに限定されるものではなく、実施段階ではその要旨を逸脱しない範囲で構成要素を変形して具体化できる。
【００３５】
図１０はスキャナ台２０の他の実施形態を示す模式図である。通常、アンテナの大きさは用途に必要とされる通信距離や電波の波長の制約を受ける。このため、１つのアンテナではスキャナ台２０の水平面全域あるいは垂直面全域をカバーしきれない場合がある。そこで、この他の実施形態では、受け板２１と背板２２にそれぞれアンテナガイド７１，７２を設け、第１及び第２のタグ交信用アンテナ１３，１４が手前側から見て左右に動くように構成している。すなわち、そのアンテナが有する指向性の軸に対して直交する方向に移動可能な可動式としている。こうすることにより、スキャナ台２０に載せるシート状物品３０の枚数が多い場合や、ファイルボックス４０を複数個載せる場合でも、第１及び第２のタグ交信用アンテナ１３，１４を左右に動かすことによって、スキャナ台２０に載せたすべてのシート状物品３０を精度よく認識することができる。
【００３６】
なお、タグ交信用アンテナ１３，１４を動かす機構については、ここでは特に触れないが、例えば手動でタグ交信用アンテナ１３，１４を動かす構成としてもよいし、自動でタグ交信用アンテナ１３，１４が左右に動くような構成としてもよい。また、どちらか一方のタグ交信用アンテナ１３，１４は固定で、他方のタグ交信用アンテナ１３，１４のみ左右に動く構成とすることもできる。
【００３７】
勿論、２つのタグ交信用アンテナ１３，１４を動かないように固定しておくことも可能であり、その場合には、スキャナ台２０に載せたファイルボックス４０を手で左右に動かして、ファイルボックス４０内に入れられているシート状物品３０に貼付された無線タグ３１，３２を読み取るようにしても良い。タグ交信用アンテナ１３，１４を固定とし、シート状物品３０側を手で左右に動かして無線タグを読み取るようにすると、手で動かすという手間は増えるが、スキャナ台２０にタグ交信用アンテナ１３，１４の移動機構を設ける必要がなくなり、コスト的にはメリットがある。
【００３８】
また、前記実施の形態では、シート状物品３０をファイルボックス２０に入れて認識する場合を示したが、ファイルボックス２０は特に必要ではなく、例えばスキャナ台２０にシート状物品３０を立てておくための仕切り板を設けて、スキャナ台２０にシート状物品３０を直接置くようにしてもよい。
【００３９】
また、前記実施の形態では、シート状物品３０に無線タグ３１，３２を直接貼り付けて管理する場合を示したが、例えばファイルフォルダ等の物品収容体に予め無線タグ３１，３２を貼付しておき、管理対象であるシート状物品３０をこの物品収容体に入れてスキャナ台２０に置くことにより、無線タグを利用してシート状物品３０を管理するということも考えられる。
【００４０】
図１１は、第１の無線タグ３１と第２の無線タグ３２を、それぞれのタグアンテナ３１ａ，３２ａが有する指向性の軸３３，３４が交差するように貼付した無線タグ付きファイルフォルダ８０を示している。この例では、ファイルフォルダ８０の底辺に沿って第１の無線タグ３１が、底辺と垂直な高さ方向の辺に沿って第２の無線タグ３２が、互いに略90度回転した向きで貼付されている。
【００４１】
因みに、無線タグ３１，３２をファイルフォルダ８０へ貼付する方法は、粘着テープや接着剤等を使って貼着する方法や、無線タグ３１，３２の上から粘着フィルム等を貼り付ける方法などが考えられる。
【００４２】
図１２は、第１の無線タグ３１と第２の無線タグ３２のそれぞれのタグアンテナ３１ａ，３２ａが有する指向性の軸３３，３４が交差するように、第１の無線タグ３１と第２の無線タグ３２をそれぞれ収納するための収納ポケット９１，９２を備えた収納ポケット付きファイルフォルダ９０である。この収納ポケット９１，９２を使えば、無線タグ３１，３２をファイルフォルダ９０に貼り付ける必要がなく、また接着剤等を使う必要もなくなるので、無線タグの再利用には有効である。また、無線タグ３１，３２を入れる位置があらかじめ決まっているので、ファイルフォルダ９０に無線タグを添付する作業も簡単になる。
【００４３】
また、前記実施の形態では、１つのシート状物品３０に対して２つの無線タグ３１，３２を設ける場合を示したが、無線タグの数は２つ以上でも構わない。例えば図１３に示すように、シート状物品３０に３つの無線タグ３１，３２，３５を、それぞれのタグアンテナの指向性の軸３３、３４、３６が交差するように貼付する。この場合、それぞれの無線タグ３１，３２，３３を読み取るためのタグ交信用アンテナを設ける必要はあるが、指向性の軸が交差するように配置した無線タグの数が多いほど、物品の位置ずれがあるときの読み取り率は向上する。
【００４４】
また、前記実施の形態では無線タグの形状を長方形であると仮定して説明しているが、他の形状であっても本発明を適用することによって、無線タグが付された物品の認識率が向上することは明らかである。
【００４５】
この他、前記実施形態に開示されている複数の構成要素の適宜な組合せにより種々の発明を形成できる。例えば、実施形態に示される全構成要素から幾つかの構成要素を削除してもよい。さらに、異なる実施形態に亘る構成要素を組合わせてもよい。
【図面の簡単な説明】
【００４６】
【図１】本発明の一実施の形態である物品認識装置の概略構成を示すブロック図。
【図２】同実施の形態において第１のタグ交信用アンテナと第２のタグ交信用アンテナの位置関係及び物品に設けられる第１の無線タグと第２の無線タグとの位置関係を示す模式図。
【図３】第１の無線タグと第２の無線タグが設けられた物品の一例を示す平面図。
【図４】タグ交信用アンテナと無線タグとの指向性の関係を示す模式図。
【図５】ファイルボックスにシート状物品を収容したときのずれの状態を示す模式図。
【図６】ファイルボックスに収容されたシート状物品の１枚が手前にずれた状態を示す模式図。
【図７】図６の状態において各シート状物品に設けられた第１の無線タグの状態を示す斜視図。
【図８】図６の状態において各シート状物品に設けられた第２の無線タグの状態を示す斜視図。
【図９】本実施の形態の場合と従来の場合の読取率の比較結果を示すグラフ。
【図１０】スキャナ台の他の実施形態を示す模式図。
【図１１】物品収容体の一例である無線タグ付ファイルフォルダを示す平面図。
【図１２】物品収容体の他の例である収納ポケット付ファイルフォルダを示す平面図。
【図１３】３つの無線タグが設けられた物品の一例を示す平面図。
【図１４】無線タグの位置ずれを示す模式図。
【符号の説明】
【００４７】
１０…物品認識装置、１１…リーダ・ライタ、１２…コントローラ、１３，第１のタグ交信用アンテナ、１４…第２のタグ交信用アンテナ、２０…スキャナ台、３０…シート状物品、３１…第１の無線タグ、３２…第２の無線タグ、４０…ファイルボックス、７１，７２…アンテナガイド、８０…無線タグ付ファイルフォルダ、９０…収納ボックス付ファイルフォルダ。
【図１】
2007065991.tif 000003
【図２】
2007065991.tif 000004
【図３】
2007065991.tif 000005
【図４】
2007065991.tif 000006
【図５】
2007065991.tif 000007
【図６】
2007065991.tif 000008
【図７】
2007065991.tif 000009
【図８】
2007065991.tif 000010
【図９】
2007065991.tif 000011
【図１０】
2007065991.tif 000012
【図１１】
2007065991.tif 000013
【図１２】
2007065991.tif 000014
【図１３】
2007065991.tif 000015
【図１４】
2007065991.tif 000016